(57)【要約】【課題】作業者にとって使い易く、作業効率を格段に向上させる製品固定金具のパレット取付治具を提供する。【解決手段】パレット上に載置された製品を固定するための固定金具を該パレットに取り付ける際に使用する。鋼製線材を折曲成形してなり、固定金具の締着用ボルトの螺子部と弾発的に噛合可能な係合部１１を有し、パレットの取付穴に下方から挿通してパレットの上面に突出した締着用ボルトの螺子部に挿脱自在に係合する。パレット上面にて締着用ボルトを担持する。基端側で相互に結合してほぼ並行配置される一対の脚部１２を有し、各脚部１２の先端側それぞれに係合部１１が形成される。【選択図】        図４
2004332756.tif 000002
【特許請求の範囲】
【請求項１】
パレット上に載置された製品を固定するための固定金具を該パレットに取り付ける際に使用する取付治具であって、
鋼製線材を折曲成形してなり、前記固定金具の締着用ボルトの螺子部と弾発的に噛合可能な係合部を有し、前記パレットの取付穴に下方から挿通して該パレットの上面に突出した前記締着用ボルトの前記螺子部に挿脱自在に係合し、前記パレット上面にて前記締着用ボルトを担持するようにしたことを特徴とする製品固定金具のパレット取付治具。
【請求項２】
基端側で相互に結合してほぼ並行配置される一対の脚部を有し、各脚部の先端側それぞれに前記係合部が形成され、前記螺子部との係合時に前記係合部に弾発力が生じるように前記脚部が弾性変形することを特徴とする請求項１に記載の製品固定金具のパレット取付治具。
【請求項３】
前記締着用ボルトの一対または単一の前記螺子部に対して、前記係合部が相互に接近または離反するように前記脚部の先端側が拡縮変形し、前記締着用ボルトの前記螺子部の一側または両側にて前記係合部が係合することを特徴とする請求項２に記載の製品固定金具のパレット取付治具。
【請求項４】
前記脚部の基端側が起伏するように突出成形されてなる把持部を有し、該把持部を把持して前記脚部を前記締着用ボルトに対して、前記パレットの上面に沿って挿脱し得るようにしたことを特徴とする請求項１〜３のいずれか１項に記載の製品固定金具のパレット取付治具。
【請求項５】
パレット上に載置された製品を固定するための固定金具を該パレットに取り付ける際に使用する取付治具であって、
鋼製線材を折曲成形してなり、基端側で相互に結合してほぼ並行配置される一対の脚部の先端側それぞれに、前記固定金具の締着用ボルトの螺子部と弾発的に噛合可能な係合部を有し、
前記パレットの取付穴に下方から挿通して該パレットの上面に突出した前記締着用ボルトの一対の前記螺子部の内側に前記脚部を押入することにより、前記係合部が相互に接近するように前記脚部が弾性変形し、該係合部が前記螺子部とそれぞれ弾発的に噛合して、前記締着用ボルトを担持することを特徴とする製品固定金具のパレット取付治具。
【発明の詳細な説明】
【０００１】
【発明の属する技術分野】
本発明は、コピー機等の製品をパレットに載せて搬送する際に、製品のパレット上での移動を防止するための固定金具を容易に取り付けるために使用する治具に関するものである。
【０００２】
【従来の技術】
コピー機、プリンタあるいはファックス機等の製品の流通過程において、たとえば製品の各パーツ毎にカートン等に入れられた状態で、所謂流通センタに運ばれる。この流通センタでは各パーツの検品後、製品としての一体物に組み上げ、さらにその製品は製品保管倉庫まであるいは直接ユーザまで搬送される。この製品搬送の際に製品をパレット上に固定し、パレットごと搬送される。
【０００３】
このように製品をパレット上に載置して搬送する際、製品がパレット上で移動しないようにするための固定金具が使用される。この固定金具は、製品形状に合わせてパレットの所定部位に取り付けられる。この場合、パレット下部に一方の手を入れて、予めパレットに明けられた取付穴を通じてパレット下方から上方に締着用ボルトを挿入する。そしてその締着用ボルトを下から保持しながら、他方の手でパレットの上方からナットを取り付ける。
【０００４】
【特許文献１】
実開昭５７−２００７２３号公報
【０００５】
【発明が解決しようとする課題】
しかしながら、上述のように固定金具の取付に際して、パレット下部に片手を入れてボルトが落ちないように下から保持し、もう一方の手でパレット上方からナットを締め込む。この取付作業において、作業者は地面にかがみ込んだ無理な姿勢で行うため、締着用ボルトの螺子部にナットを入れるのは極めて困難である。また、パレット下にナットを落とし易く、落とした場合にはそのナットを探すのに苦労し、作業効率が悪くならざるを得ない。特に、取付穴がパレットの辺部から離れている場合には、極めて煩雑でやり難い作業となり、腰の痛くなる作業でもある。
【０００６】
なお、１本の弾性線材を略８の字状に形成し、該線材の両端が８の字の下部位置にくるようにして、線材の両端部が弾性範囲内で開閉可能に形成したボルトの仮止めクリップが知られている（特許文献１参照）。しかしながら、この仮止めクリップでは単一のボルトのみに対応可能であり、必ずしも仮止めにより十分な保持力を確保することができない。
【０００７】
本発明はかかる実状に鑑み、作業者にとって使い易く、作業効率を格段に向上させる製品固定金具のパレット取付治具を提供することを目的とする。
【０００８】
【課題を解決するための手段】
本発明の製品固定金具のパレット取付治具は、パレット上に載置された製品を固定するための固定金具を該パレットに取り付ける際に使用する取付治具であって、鋼製線材を折曲成形してなり、前記固定金具の締着用ボルトの螺子部と弾発的に噛合可能な係合部を有し、前記パレットの取付穴に下方から挿通して該パレットの上面に突出した前記締着用ボルトの前記螺子部に挿脱自在に係合し、前記パレット上面にて前記締着用ボルトを担持するようにしたことを特徴とする。
【０００９】
また、本発明の製品固定金具のパレット取付治具において、基端側で相互に結合してほぼ並行配置される一対の脚部を有し、各脚部の先端側それぞれに前記係合部が形成され、前記螺子部との係合時に前記係合部に弾発力が生じるように前記脚部が弾性変形することを特徴とする。
【００１０】
また、本発明の製品固定金具のパレット取付治具において、前記締着用ボルトの一対または単一の前記螺子部に対して、前記係合部が相互に接近または離反するように前記脚部の先端側が拡縮変形し、前記締着用ボルトの前記螺子部の一側または両側にて前記係合部が係合することを特徴とする。
【００１１】
また、本発明の製品固定金具のパレット取付治具において、前記脚部の基端側が起伏するように突出成形されてなる把持部を有し、該把持部を把持して前記脚部を前記締着用ボルトに対して、前記パレットの上面に沿って挿脱し得るようにしたことを特徴とする。
【００１２】
また、本発明の製品固定金具のパレット取付治具は、パレット上に載置された製品を固定するための固定金具を該パレットに取り付ける際に使用する取付治具であって、鋼製線材を折曲成形してなり、基端側で相互に結合してほぼ並行配置される一対の脚部の先端側それぞれに、前記固定金具の締着用ボルトの螺子部と弾発的に噛合可能な係合部を有し、前記パレットの取付穴に下方から挿通して該パレットの上面に突出した前記締着用ボルトの一対の前記螺子部の内側に前記脚部を押入することにより、前記係合部が相互に接近するように前記脚部が弾性変形し、該係合部が前記螺子部とそれぞれ弾発的に噛合して、前記締着用ボルトを担持することを特徴とする。
【００１３】
本発明によれば、その典型的態様においてパレットの取付穴に下方から挿通して該パレットの上面に突出した締着用ボルトの一対の螺子部の内側に、取付治具の脚部を押入する。このとき係合部が相互に接近するように脚部が弾性変形し、該係合部が螺子部とそれぞれ弾発的に噛合して、締着用ボルトを担持する。
【００１４】
コピー機等の製品をパレットに載せて搬送する際に、パレット上での製品移動を防止するための固定金具を締着用ボルトとナットを用いて取り付ける。その場合、予めパレットに明けられた取付穴にパレット下方から上方に挿通させることで、パレット上面よりも高い位置に突出した締着用ボルトの螺子部に対して、パレット上面で水平方向から取付治具を挿入することにより、金属の弾性により螺子部に水平方向から押える力を働かせる。これによって締着用ボルトを下から保持しなくても落ちないように支持することができる。
【００１５】
したがって、固定金具を取り付けるときに、パレット下方からボルトを保持しなくても、本発明のパレット取付治具によってパレット上面で締着用ボルトを支持することができる。その結果、作業者はパレット上方で両手を使うことができるようになり、ボルト螺子部にナットを容易にねじ込むことができる。また、手でナットをねじ込んだ後、本取付治具は水平方向に引抜くことにより簡単に取りはずすことができる。その後にナットを堅く締めて取付金具の固定が完了する。
【００１６】
【発明の実施の形態】
以下、図面に基づき、本発明による製品固定金具のパレット取付治具の好適な実施の形態を説明する。
（第１の実施形態）
ここで先ず、本発明に係る製品固定金具の使用例を説明する。図１は、固定金具１によってパレット１００上に載置固定された製品の例を示している。この実施形態では製品としてのコピー機Ｗをパレット１００に載せてフォークリフトで搬送するものとする。コピー機Ｗの搬送に際して、パレット１００上での製品移動を防止するために固定金具１を使用する。
【００１７】
この例では図２に示すようにコピー機Ｗの機種に合せてその底部四隅に位置するように、パレット１００に固定金具１を取り付ける。ここで、図３は本実施形態における固定金具１の構成例を示している。図において、固定金具１はパレット１００の上面に当接する実質的に平板状の基部１ａと、この基部１ａから立ち上がりその上部で鍵型に折曲された掛止部１ｂを有する。基部１ａには、後述する締着用ボルト２を挿通するための２つのボルト穴１ｃが穿設されている。この例では締着用ボルト２としてＵ字ボルトを用い、Ｕ字の端部に一対の螺子部２ａを有している。
【００１８】
締着用ボルト２の各螺子部２ａは板ワッシャ３を介在させて、固定金具１のボルト穴１ｃに挿通し、緩み防止のためのスプリングワッシャ４を介してナット５が螺合するようになっている。なお、螺子部２ａはボルト穴１ｃに対して遊嵌し、すなわち両者の嵌合には適度な遊びを持たせてある。
【００１９】
図２（ｂ）に示すようにパレット１００の載置板１０１には、締着用ボルト２を挿通するための取付穴１０２が明けられている。固定金具１をパレット１００に取り付ける場合、パレット１００（載置板１０１）の下に手を入れて、Ｕ字ボルトを板ワッシャ３を介して、取付穴１０２を通じて上方に挿入する。さらに、載置板１０１の上面で螺子部２ａを固定金具１のボルト穴１ｃを挿通し、スプリングワッシャ４を介してナット５をＵ字ボルトの螺子部２ａにねじ込む。
【００２０】
なお、従来ではＵ字ボルトをパレット１００の下から保持しながら、もう一方の手でパレット１００の上方からナット５をねじ込んでいた。
【００２１】
さて、本発明ではパレット１００に固定金具１を取り付ける際に、たとえば図４のような取付治具１０を使用する。この取付治具１０は鋼製線材を折曲成形してなり、固定金具１の締着用ボルト２の螺子部２ａと弾発的に噛合可能な係合部１１を有する。そして、パレット１００の取付穴１０２に下方から挿通して該パレット１００（載置板１０１）の上面に突出した締着用ボルト２の螺子部２ａに挿脱自在に係合し、パレット１００の上面にて締着用ボルト２を担持するようになっている。
【００２２】
取付治具１０の具体的構成において、典型的には変形Ｖ字形構造を呈し、そのＶ字の基端側で相互に結合してほぼ並行配置される一対の脚部１２を有し、各脚部１２の先端外側それぞれに係合部１１が形成される。また、脚部１２の基端側が起伏するように突出成形されてなる把持部１３を有し、把持部１３を把持して脚部１２を締着用ボルト２に対して、パレット１００の上面に沿って挿脱し得るようになっている。
【００２３】
なお、上記のように把持部１３を脚部１２の配置面よりも上方に位置させることにより、取付治具１０を水平方向に押したり引いたり、あるいは持上げる時に取扱性に優れ使い易い治具を実現している。
【００２４】
脚部１２は少なくとも先端付近が厚さ（上下）方向に適度に潰すことで扁平に形成され、特に係合部１１は締着用ボルト２の螺子ピッチよりも薄くされる。たとえば締着用ボルト２がＭ８ボルトの場合には少なくとも１ｍｍ以下の厚さに設定される。つまり係合部１１が締着用ボルト２の螺子谷に入り、両者が可能な限り深く係合するようにする。
【００２５】
脚部１２の先端部１２ａはほぼ係合部１１で内側に折曲され、すなわち先細に形成される。この場合、図５に示したように係合部１１相互の間隔Ｗ１（自由状態）は、締着用ボルト２の螺子部２ａの内幅Ｗ２よりも大きく、先端部１２ａ相互の間隔Ｗ３は、螺子部２ａの内幅Ｗ２よりも小さく設定される。
【００２６】
実際の作業において、Ｕ字ボルトをパレット１００の下方から上方に挿入し、螺子部２ａを固定金具１のボルト穴１ｃから上に突出させる。そして、図５の矢印Ａのように載置板１０１の上面に沿って脚部１２の先端部１２ａから一対の螺子部２ａの間に入り込ませる。さらに押入することで、図６の矢印Ｂのように係合部１１が相互に接近するように脚部１２が内側に変形しながら、係合部１１が締着用ボルト２の螺子部２ａと係合する。このように先端側の幅が縮小することで外側に戻ろうとする脚部１２の弾力が発生し、係合部１１が螺子部２ａと弾発的に係合する。これにより取付治具１０のみで締着用ボルト２を落下しないように的確に担持することができる。
【００２７】
その後、図３のように作業者は両手を使ってスプリングワッシャ４およびナット５を楽々と取り付けることができる。この場合、ナット５を締め込む際、脚部１２特に係合部１１は比較的薄く形成されているため、ナット５を螺子部２ａにかなり深くねじ込むことができ、その後の作業を簡単化する。さらに、把持部１３を掴んで取付治具１０を水平方向に引抜き、ナット５を堅く締めることで、固定金具１の取付作業が完了する。このように固定金具１を取り付けるときに、パレット１００の下方から締着用ボルト２を保持しなくても、パレット１００の上面で締着用ボルト２を支持することができる。作業者はパレット１００の上方で両手を使うことができるようになり、容易かつ効率的に固定金具１を取り付けることが可能になる。
【００２８】
なお、締着用ボルト２としてＵ字ボルトの代わりに通常の直線ボルト２本を使うことができる。この場合も上記と同様に行うことができる。
【００２９】
（第２の実施形態）
つぎに、本発明による取付治具の第２の実施形態を説明する。
図７は、第２の実施形態における取付治具１０を示している。この例では各脚部１２の先端内側それぞれに係合部１４が形成される。一対の脚部１２は先端側に向って適度に先細になるように形成され、その先端部１２ａはほぼ係合部１４で外側に折曲される。
【００３０】
この例は、固定金具１の締着用ボルト２として１本の直線ボルトを使用する場合をはじめ、各種ボルトに対応可能である。この場合、係合部１４相互の間隔は、締着用ボルト２の螺子部２ａの径よりも小さく設定される。
【００３１】
実際の作業において、第１の実施形態の場合と同様にパレット１００の下方から上方に挿入して、固定金具１のボルト穴１ｃから上に突出させた螺子部２ａを挟むように取付治具１０を係合させる。螺子部２ａの両側から挟みながら取付治具１０を押し込むことで、係合部１４が相互に離反するように脚部１２が外側に変形し、これにより係合部１４が締着用ボルト２の螺子部２ａと係合する。このように先端側の幅が拡開することで内側に戻ろうとする脚部１２の弾力により、係合部１４が螺子部２ａと弾発的に係合し、取付治具１０のみで締着用ボルト２を担持することができる。
【００３２】
（第３の実施形態）
つぎに、本発明による取付治具の第３の実施形態を説明する。
図８は、第３の実施形態における取付治具１０を示している。この例では各脚部１２の先端付近外側それぞれに係合部１１が形成され、さらに先端寄りの内側それぞれに係合部１４が形成される。脚部１２はほぼ係合部１１で内側に折曲されて先細に形成されるとともに、さらにほぼ係合部１４で外側に折曲される。
【００３３】
この例は、固定金具１の締着用ボルト２としてＵ字ボルトおよび直線ボルトを使用する場合の双方に対応可能である。すなわちＵ字ボルトおよび直線ボルトに対する係合部１１および係合部１４を兼備することで、実際の作業では係合部１１にて螺子部２ａと係合することでＵ字ボルトを担持し、係合部１４にて螺子部２ａと係合することにより直線ボルトを担持することができ、これらいずれの場合も取付治具１０のみで締着用ボルト２を落下しないように的確に担持することができる。
【００３４】
上記のように本発明を幾つかの実施形態について説明したが、本発明は上記実施形態のみに限定されるものでなく、本発明の範囲内で必要に応じて適宜変更可能である。
たとえば、図９に示したように脚部１２の係合部１５が、締着用ボルト２としてのＵ字ボルトの各螺子部２ａの外側から係合するように構成される。この場合にも係合部１５にて螺子部２ａと係合することでＵ字ボルトを的確に担持することができる。
【００３５】
【発明の効果】
以上説明したように本発明によれば、コピー機等の製品をパレットに載せて搬送する際に、製品のパレット上での移動を防止するための固定金具を容易かつ適正に取り付けることができる。使い易い安価な治具により、作業効率が格段に向上するとともに、無理な作業姿勢から来る作業者の身体的苦痛を大幅に減少する等の利点を有している。
【図面の簡単な説明】
【図１】本発明に係る製品固定金具の使用例を示す斜視図である。
【図２】本発明に係る製品固定金具の使用例を示す平面図および側面図である。
【図３】本発明に係る製品固定金具の構成例を示す分解斜視図である。
【図４】本発明の取付治具の第１の実施形態を示す斜視図である。
【図５】本発明の取付治具の第１の実施形態における作用を示す平面図である。
【図６】本発明の取付治具の第１の実施形態における作用を示す平面図である。
【図７】本発明の取付治具の第２の実施形態における構成例を示す斜視図および作用を示す平面図である。
【図８】本発明の取付治具の第３の実施形態における構成例を示す斜視図である。
【図９】本発明の取付治具の変形例を示す平面図である。
【符号の説明】
１    固定金具
２    締着用ボルト
３    板ワッシャ
４    スプリングワッシャ
５    ナット
１０    取付治具
１１，１４，１５    係合部
１２    脚部
１３    把持部
１００    パレット
【図１】
2004332756.tif 000003
【図２】
2004332756.tif 000004
【図３】
2004332756.tif 000005
【図４】
2004332756.tif 000006
【図５】
2004332756.tif 000007
【図６】
2004332756.tif 000008
【図７】
2004332756.tif 000009
【図８】
2004332756.tif 000010
【図９】
2004332756.tif 000011